(57)【要約】【課題】主蒸気系統と再熱蒸気系統とを有する排熱回収ボイラにおいて、簡易な構成でコストの上昇を抑え、効率よく再熱蒸気系統のブローイングアウトを可能とする。【解決手段】主蒸気系統と再熱蒸気系統とを備えたボイラの運転開始に先立ち、主蒸気系統で発生させた蒸気により再熱蒸気系統をブローイングするボイラのブローイングアウト用仮設配管系統において、過熱器２２で生成された過熱蒸気を、蒸気タービン３をバイパスして再熱蒸気系統に供給する第一仮設配管３１と、ブローイングアウト時に再熱器２３を通過した蒸気を大気に放出する第二仮設配管３２と、主蒸気系統の過熱器２１、２２に供給される蒸気の一部を、過熱器２１および／または２２をバイパスして過熱器２１の出口より後流に流す第三仮設配管３３と、を備える。【選択図】図１
2020029977.tif 000002
【特許請求の範囲】
【請求項１】
蒸発器で発生した蒸気を過熱器で過熱し、前記過熱器で生成された過熱蒸気を蒸気タービンに供給する主蒸気系統と、前記蒸気タービンから抽気された蒸気を、再熱器で再加熱して前記蒸気タービンに供給する再熱蒸気系統とを備えたボイラの運転開始に先立ち、前記主蒸気系統で発生させた蒸気により前記再熱蒸気系統をブローイングする運転であるブローイングアウトの際に用いられるボイラのブローイングアウト用仮設配管系統において、
前記過熱器で生成された過熱蒸気を、前記蒸気タービンをバイパスして前記再熱蒸気系統に供給する第一仮設配管と、
前記ブローイングアウト時に前記再熱器を通過した蒸気を大気に放出する第二仮設配管と、
前記主蒸気系統の前記過熱器に供給される蒸気の一部を、前記過熱器をバイパスして当該過熱器の出口より後流に流す第三仮設配管と、を備えることを特徴するボイラのブローイングアウト用仮設配管系統。
【請求項２】
請求項１記載のボイラのブローイングアウト用仮設配管系統において、
前記第三仮設配管は、前記過熱器の前流から前記第一仮設配管に接続されることを特徴とするボイラのブローイングアウト用仮設配管系統。
【請求項３】
請求項２記載のボイラのブローイングアウト用仮設配管系統において、
前記主蒸気系統の蒸発器は、発生した蒸気を一時的に貯留する蒸気ドラムを備え、
前記第三仮設配管は、前記主蒸気系統の蒸気ドラム出口から前記第一仮設配管に接続されることを特徴とするボイラのブローイングアウト用仮設配管系統。
【請求項４】
請求項２記載のボイラのブローイングアウト用仮設配管系統において、
前記主蒸気系統は、前記過熱器を複数備え、
前記第三仮設配管は、複数の前記過熱器のうち所定の前記過熱器の入口側から前記第一仮設配管に接続されることを特徴とするボイラのブローイングアウト用仮設配管系統。
【請求項５】
請求項１記載のボイラのブローイングアウト用仮設配管系統において、
前記第三仮設配管は、前記過熱器の入口側から当該過熱器の出口側に接続されることを特徴とするボイラのブローイングアウト用仮設配管系統。
【請求項６】
請求項１記載のボイラのブローイングアウト用仮設配管系統において、
前記主蒸気系統は、前記過熱器を複数備え、
前記第三仮設配管は、複数の前記過熱器のうち、前記蒸気タービンからの排ガスが流通する排ガス流路の最も下流に配置される前記過熱器の入口側から、当該過熱器より前記排ガス流路の上流側に配置されるいずれかの前記過熱器の入口側に接続されることを特徴とするボイラのブローイングアウト用仮設配管系統。
【請求項７】
請求項１記載のボイラのブローイングアウト用仮設配管系統において、
前記ボイラは、前記主蒸気系統として、それぞれ、前記蒸気タービンからの排ガスが流通する排ガス流路の上流側から下流側に順に前記過熱器、前記蒸発器および節炭器を有する高圧系、中圧系および低圧系を備え、各前記蒸発器には、発生した蒸気を一時的に貯留する蒸気ドラムがそれぞれ接続される排熱回収ボイラであって、
前記第一仮設配管は、前記高圧系の前記過熱器で生成された前記過熱蒸気を前記蒸気タービンに供給する主蒸気管から、前記蒸気タービンから抽気された蒸気を前記再熱器に供給する低温再熱蒸気管に接続され、
前記第二仮設配管は、前記再熱器で再加熱された蒸気を前記蒸気タービンに供給する高温再熱蒸気管に接続されて前記再熱器を通過した蒸気を大気に放出し、
前記第三仮設配管は、前記高圧系の前記蒸気ドラムの出口から前記第一仮設配管に接続されること
を特徴とするボイラのブローイングアウト用仮設配管系統。
【請求項８】
請求項１に記載のボイラのブローイングアウト用仮設配管系統を用いたボイラのブローイングアウト方法において、
前記過熱器および前記再熱器から前記蒸気タービンへの蒸気の供給をそれぞれ遮断し、
前記過熱器で生成された加熱蒸気を、前記第一仮設配管を経由して前記再熱蒸気系統に供給するとともに、前記過熱器に供給される前の蒸気の一部を、前記第三仮設配管を経由して前記第一仮設配管に供給することにより、当該第一仮設配管を経由して前記再熱蒸気系統に供給される前記過熱蒸気に混合し、
混合された蒸気を前記再熱器に流入させることにより当該再熱器をブローイングし、
前記再熱器をブローイング後の蒸気を、前記第二仮設配管を経由して大気に放出することを特徴とするボイラのブローイングアウト方法。
【発明の詳細な説明】
【技術分野】
【０００１】
本発明は、主蒸気系統と再熱蒸気系統とを有する排熱回収ボイラのブローイングアウトに関し、特に、再熱蒸気系統のブローイングアウトに関する。
【背景技術】
【０００２】
ガスタービンの排ガスから熱交換によって蒸気を発生させ、その蒸気を用いて蒸気タービンを駆動して発電する、いわゆるコンバインドサイクル発電設備がある。図５は、一般的なコンバインドサイクル発電設備１００のプラントの構成例を示すブロック図である。
【０００３】
図５に示すように、コンバインドサイクル発電設備１００では、発電機４と、蒸気タービン３と、ガスタービン１が設けられ、ガスタービン１で天然ガス等を燃焼させて発電機４にて発電を行う。なお、蒸気タービンとガスタービンにそれぞれ発電機を設置して発電を行う例もある。
【０００４】
ガスタービン１での発電燃焼により発生した高温の排ガスは、排熱回収ボイラ２に送られる。排熱回収ボイラ２では、その高温ガスからの熱回収により、復水器５から送られてきた給水を蒸気に変換し、蒸気タービン３に通気する。蒸気タービン３にて仕事をした蒸気は、復水器５にて復水され、復水された水は再び排熱回収ボイラ２へと送られる。
【０００５】
建設を完了した排熱回収ボイラ２に対し、蒸気タービン３に蒸気を通気する前に、排熱回収ボイラ２で発生する蒸気の流体力を用いて、排熱回収ボイラ２内の異物を除去する運転である、ブローイングアウトが行われる。これは、異物が蒸気タービン３に持ち込まれて蒸気タービン３の翼を損傷させないことを目的とする。
【０００６】
排熱回収ボイラ２には、蒸気タービン３で仕事をした蒸気を、再度加熱する、再熱蒸気系統を有するものがある。このような再熱蒸気系統を有する排熱回収ボイラ２において、再熱蒸気系統のブローイングアウトを実施する際は、主蒸気系統で発生した過熱蒸気を用いる。
【０００７】
具体的には、主蒸気系統から、蒸気タービン３をバイパスして再熱蒸気系統へと蒸気を流す配管を仮設する。また、再熱蒸気系統を通過した蒸気を系統外へ放出する配管を仮設する。そして、仮設した配管を介して主蒸気系統の過熱器で発生した過熱蒸気を再熱蒸気系統へ流入させ、その流体力で再熱蒸気系統のブローイングアウトを実施する（例えば、特許文献１参照）。
【先行技術文献】
【特許文献】
【０００８】
【特許文献１】特許第６０４４７６５号公報
【発明の概要】
【発明が解決しようとする課題】
【０００９】
主蒸気系統の過熱蒸気が流入する再熱蒸気系統の入口の接続管（低温再熱蒸気管）は、通常運転時は、蒸気タービン３で仕事をした後の蒸気、すなわち、低温の蒸気が流れる。従って、通常運転のみを考慮する場合、その材質に高い耐熱性は要求されない。
【００１０】
しかしながら、ガスタービン１で発生するガス温度が高い場合、主蒸気系統の過熱器で発生した過熱蒸気の温度は、さらに高くなる。従って、このような場合、ブローイングアウト時に、再熱蒸気系統に流入する蒸気の温度は、通常運転時に低温再熱蒸気管に流れる蒸気の最高温度より高くなる可能性がある。
【００１１】
特に、大型のコンバインドサイクル発電設備１００では、例えば、この排熱回収ボイラ２の蒸気系統を高圧系、中圧系および低圧系の三重圧方式で構成して排熱回収の効率を向上させている。さらに、高圧系の過熱器として、一次、二次と２段階で構成する場合もある。このような構成の排熱回収ボイラ２では、高圧系の過熱器（高圧系が２段階の場合は、高圧二次過熱器）で発生した過熱蒸気が再熱蒸気系統のブローイングアウトに用いられる。この蒸気温度は、通常運転時の低温再熱蒸気管に流れる蒸気の温度を大きく超える可能性が高い。
【００１２】
従って、通常運転前の、ブローイングアウトを行う短期間の運転を考慮して低温再熱蒸気管の最高使用温度が定まり、これに耐え得る材質選定が必要となる。これは、通常運転時には過剰品質となり、高コスト化につながる。
【００１３】
また、ブローイングアウトは、排熱回収ボイラ２の通常運転時にその内部で発生する最も動圧が大きくなる計画蒸気条件に対して、その最大発生動圧以上となる蒸気条件にて実施される。これにより、排熱回収ボイラ２の通常運転中に飛散する可能性のある異物を排熱回収ボイラ２外に排出する。
【００１４】
一例として、主蒸気系統の計画蒸気条件である最大発生動圧が３４，０００［Ｎ／ｍ２］であれば、主蒸気系統のブローイングアウト時に流す蒸気は３４，０００［Ｎ／ｍ２］以上の動圧とする必要がある。また、再熱蒸気系統の計画蒸気条件である最大発生動圧が８，５００［Ｎ／ｍ２］であれば、再熱蒸気系統のブローイングアウト時に流す蒸気は最大発生動圧以上の８，５００［Ｎ／ｍ２］以上とする必要がある。
【００１５】
ただし、再熱蒸気系統のブローイングアウトは主蒸気系統からの発生蒸気を用いる。再熱蒸気系統での動圧を８，５００［Ｎ／ｍ２］以上とする場合、主蒸気系統では５１，０００［Ｎ／ｍ２］以上の動圧が発生する。すなわち、再熱蒸気系統をブローイングアウトする際に主蒸気系統で発生させる動圧は、主蒸気系統のブローイングアウト時や最大発生動圧より大幅に大きくなる。
【００１６】
従って、再熱蒸気系統のブローイングアウトを行う際には、主蒸気系統をブローイングアウトするために必要な本来の動圧以上の過剰な動圧が主蒸気系統内に加わる。これにより、主蒸気系統をブローイングアウトした時には飛散しなかった異物が、主蒸気系統から再熱蒸気系統へと飛散し、ブローイングアウト時間の長期化を招いている。
【００１７】
ブローイングアウト時間の長期化によって、ブローイングアウトの実施に必要な燃料および純水といったユーティリティの消費量も膨大となっている。
【００１８】
本発明は、上記事情に鑑みてなされたもので、主蒸気系統と再熱蒸気系統とを有する排熱回収ボイラにおいて、簡易な構成でコストの上昇を抑え、効率よく再熱蒸気系統のブローイングアウトを可能とする技術を提供することを目的とする。
【課題を解決するための手段】
【００１９】
本発明は、蒸発器で発生した蒸気を過熱器で過熱し、前記過熱器で生成された過熱蒸気を蒸気タービンに供給する主蒸気系統と、前記蒸気タービンから抽気された蒸気を、再熱器で再加熱して前記蒸気タービンに供給する再熱蒸気系統とを備えたボイラの運転開始に先立ち、前記主蒸気系統で発生させた蒸気により前記再熱蒸気系統をブローイングする運転であるブローイングアウトの際に用いられるボイラのブローイングアウト用仮設配管系統において、前記過熱器で生成された過熱蒸気を、前記蒸気タービンをバイパスして前記再熱蒸気系統に供給する第一仮設配管と、前記ブローイングアウト時に前記再熱器を通過した蒸気を大気に放出する第二仮設配管と、前記主蒸気系統の前記過熱器に供給される蒸気の一部を、前記過熱器をバイパスして当該過熱器の出口より後流に流す第三仮設配管と、を備えることを特徴する。
【００２０】
また、本発明は、上述のボイラのブローイングアウト用仮設配管系統を用いたボイラのブローイングアウト方法において、前記過熱器および前記再熱器から前記蒸気タービンへの蒸気の供給をそれぞれ遮断し、前記過熱器で生成された加熱蒸気を、前記第一仮設配管を経由して前記再熱蒸気系統に供給するとともに、前記過熱器に供給される前の蒸気の一部を、前記第三仮設配管を経由して前記第一仮設配管に供給することにより、当該第一仮設配管を経由して前記再熱蒸気系統に供給される前記過熱蒸気に混合し、混合された蒸気を前記再熱器に流入させることにより当該再熱器をブローイングし、前記再熱器をブローイング後の蒸気を、前記第二仮設配管を経由して大気に放出することを特徴とする。
【発明の効果】
【００２１】
本発明によれば、主蒸気系統と再熱蒸気系統とを有する排熱回収ボイラにおいて、簡易な構成でコストの上昇を抑え、効率よく再熱蒸気系統のブローイングアウトを実現できる。上記した以外の課題、構成および効果は、以下の実施形態の説明により明らかにされる。
【図面の簡単な説明】
【００２２】
【図１】本発明の実施形態の排熱回収ボイラのブローイングアウト時も含む系統構成を示す図である。
【図２】本発明の実施形態の排熱回収ボイラのブローイングアウト運転を説明するための説明図である。
【図３】本発明の実施形態の変形例の排熱回収ボイラの系統構成を示す図である。
【図４】本発明の実施形態の他の変形例の排熱回収ボイラの系統構成を示す図である。
【図５】コンバインドサイクル発電設備のプラント構成図である。
【発明を実施するための形態】
【００２３】
本発明の実施形態に係る排熱回収ボイラの一例について説明する。本実施形態の排熱回収ボイラは、例えば、図５に示すコンバインドサイクル発電設備１００で用いられる。
【００２４】
図１は、本実施形態の排熱回収ボイラ２ａの系統構成図である。
【００２５】
排熱回収ボイラ２ａは、主蒸気系統と再熱蒸気系統とを備える。図１に示すように、排熱回収ボイラ２ａは、主蒸気系統として、高圧系蒸気系統である高圧系４１、中圧系蒸気系統である中圧系４２、および、低圧系蒸気系統である低圧系４３を備え、再熱蒸気系統として、再熱系４４、を備える。
【００２６】
主蒸気系統の各蒸気系統は、それぞれ、ガスタービン１からの排ガスが流通する排ガス流路の上流側から下流側に順に、過熱器と蒸発器と節炭器と、を備える。具体的には、低圧系４３は、低圧過熱器１１と、低圧蒸発器１０と、低圧節炭器８と、を備える。また、中圧系４２は、中圧過熱器１７と、中圧蒸発器１６と、中圧節炭器１４と、を備える。高圧系４１は、高圧二次過熱器２２と、高圧一次過熱器２１と、高圧蒸発器２０と、高圧節炭器１８と、を備える。各蒸発器（低圧蒸発器１０、中圧蒸発器１６、高圧蒸発器２０）には、それぞれ、発生した蒸気を一時的に貯留する蒸気ドラム（低圧ドラム９、中圧ドラム１５、高圧ドラム１９）が設けられる。
【００２７】
低圧節炭器８の入口には、復水器５からの給水を低圧節炭器８に供給する復水ライン２７が接続される。復水ライン２７には、復水ポンプ６と、低圧給水ポンプ７と、が設けられる。
【００２８】
低圧節炭器８の出口には、低圧節炭器８で加熱された給水を中圧節炭器１４および高圧節炭器１８へと供給する高中圧給水ライン２８が設けられる。この高中圧給水ライン２８には、高中圧給水ポンプ１２が設けられる。
【００２９】
低圧節炭器８の出口には、さらに、低圧節炭器８で加熱された給水を、低圧節炭器８の入口に再循環させる節炭器再循環ライン１３が設けられる。節炭器再循環ライン１３には、節炭器再循環ポンプ２９が設けられる。
【００３０】
ガスタービン１からの排ガスは、最初の蒸気系統である高圧系４１の高圧二次過熱器２２から、最後流部に設置された低圧系４３の低圧節炭器８まで送られ、その間、各蒸気系統で排ガスの保有熱の熱回収が行われる。
【００３１】
一方、復水器５にて復水された水は、復水ポンプ６、低圧給水ポンプ７を経て排熱回収ボイラ２ａの給水入口へと送られる。排熱回収ボイラ２ａに供給された給水は、低圧系４３、中圧系４２、高圧系４１の順に流れる間に排ガスとの熱交換により蒸気となり、蒸気タービン３に供給される。
【００３２】
このとき、主蒸気系統の高圧系４１では、高圧蒸発器２０で発生した蒸気が、高圧ドラム１９を介して高圧一次過熱器２１、高圧二次過熱器２２に供給され、主蒸気管２４を介して、蒸気タービン３に供給される。
【００３３】
再熱系４４は、蒸気タービン３で仕事をした蒸気を再加熱する。
【００３４】
これを実現するため、再熱系４４は、再熱器２３と、低温再熱蒸気管２５と、高温再熱蒸気管２６と、を備える。低温再熱蒸気管２５は、蒸気タービン３と再熱器２３入口とを接続し、蒸気タービン３で仕事をした蒸気を、再熱器２３へ供給する。高温再熱蒸気管２６は、再熱器２３出口と蒸気タービン３とを接続し、再熱器２３で再加熱された蒸気を蒸気タービン３に供給する。
【００３５】
上述のように、建設を完了した排熱回収ボイラ２ａは、蒸気タービン３に蒸気を通気する前（通常運転開始前）に、排熱回収ボイラ２ａ内の異物が蒸気タービン３に持ち込まれて、蒸気タービン３の翼を損傷しないよう、ブローイングアウトを行う。ブローイングアウトには、蒸発器で発生した蒸気を用いる。すなわち、排熱回収ボイラ２ａ自身から蒸気を発生させて、その蒸気の流体力を用いて排熱回収ボイラ２ａ内から異物を除去する。
【００３６】
しかしながら、再熱系４４には蒸発器がない。このため、再熱系４４のブローイングアウトには、上述のように、主蒸気系統の過熱蒸気を用いる。これを実現するため、本実施形態の排熱回収ボイラ２ａには、再熱系４４のブローイングアウト用の仮設配管が設けられる。
【００３７】
以下、図１を用いて、本実施形態の排熱回収ボイラ２ａの、ブローイングアウト用仮設配管系統を説明する。
【００３８】
本実施形態では、主蒸気系統の過熱蒸気を、蒸気タービン３をバイパスして再熱器２３に送りこむため、過熱器出口（高圧二次過熱器２２の出口）と再熱蒸気系統とを接続する仮設の配管である第一の仮設配管３１を設ける。
【００３９】
図１に示すように、第一の仮設配管３１は、主蒸気管２４から分岐し、低温再熱蒸気管２５に接続され、主蒸気管２４から低温再熱蒸気管２５に蒸気を供給する。第一の仮設配管３１を介して、主蒸気系統での発生した蒸気が、再熱蒸気系統に流され、ブローイングアウトが実施される。
【００４０】
また、再熱器２３を通過した蒸気を、大気に放出するための、第二の仮設配管３２を設ける。図１に示すように、第二の仮設配管３２は、高温再熱蒸気管２６から分岐し、排気サイレンサ３９に接続される。再熱系４４を通過した蒸気は、排気サイレンサ３９を介して大気に放出される。これにより、ブローイングアウト時に再熱器２３を通過した蒸気が、蒸気タービン３に通気されるのを防ぐ。
【００４１】
さらに、本実施形態では、主蒸気系統から再熱系４４に供給される蒸気の温度を低下させるため、主蒸気系統の過熱器に供給される蒸気の一部を、当該過熱器をバイパスして再熱系４４に供給される蒸気に混合する第三の仮設配管を備える。本実施形態では、第三の仮設配管３３を、例えば、図１に示すように、高圧ドラム１９の出口から第一の仮設配管３１に接続する。
【００４２】
この第三の仮設配管３３を介して、高圧一次過熱器２１および高圧二次過熱器２２で過熱前の、高圧ドラム１９出口の飽和蒸気の一部が、過熱されずに第一の仮設配管３１に供給され、管内の高温の蒸気と混合される。これにより、第一の仮設配管３１から低温再熱蒸気管２５に流入する蒸気温度を低減する。
【００４３】
なお、ブローイングアウト用の各仮設配管（３１、３２、３３）は、ブローイングアウト時にのみ用いられる。
【００４４】
また、ブローイングアウト実施にあたっては、まず、主蒸気系統において、公知の手法でブローイングアウトを行い、その後、再熱系４４のブローイングアウトを行う。
【００４５】
例えば、主蒸気管２４の、第一の仮設配管３１の分岐点よりも蒸気タービン３側に第一の遮断弁（不図示）を、高温再熱蒸気管２６の、第二の仮設配管３２の分岐点よりも蒸気タービン３側に第二の遮断弁（不図示）を、それぞれ設ける。また、第一の仮設配管３１、第二の仮設配管３２および第三の仮設配管３３に、それぞれ仮設遮断弁（不図示）を設ける。
【００４６】
主蒸気系統のブローイングアウト終了後、再熱系４４のブローイングアウトを開始する。再熱系４４のブローイングアウト時は、まず、第一の遮断弁と第二の遮断弁とを閉じ、高圧二次過熱器２２からの蒸気の蒸気タービン３への流入と、再熱器２３からの蒸気の蒸気タービン３への流入とを遮断する。
【００４７】
そして、各仮設遮断弁を開き、高圧蒸発器２０で発生した蒸気を、再熱系４４に供給する。なお、この時供給される蒸気は、再熱系４４の最大発生動圧以上とする。これは、通常、主蒸気系統の最大発生動圧より大きい。
【００４８】
これにより、再熱系４４のブローイングアウト時は、図２に太線で示すように、高圧二次過熱器２２で過熱された蒸気が、主蒸気管２４および第一の仮設配管３１を介して低温再熱蒸気管２５に流入する。このとき、高圧ドラム１９出口の飽和蒸気の一部が、第三の仮設配管３３を介して、第一の仮設配管３１に供給され、低温再熱蒸気管２５に流す前の蒸気に混合される。高圧二次過熱器２２で過熱された蒸気と、高圧ドラム１９の出口の飽和蒸気の一部とが第一の仮設配管３１内で混合され、低温再熱蒸気管２５を介して再熱器２３に流入し、再熱器２３内の異物をブローイングアウトする。ブローイングアウト後の蒸気は、再熱器２３の出口から高温再熱蒸気管２６、第二の仮設配管３２、排気サイレンサ３９を介して大気に放出される。
【００４９】
以上説明したように、本実施形態によれば、第三の仮設配管３３を設け、高圧系４１で過熱する前の低温の蒸気を、再熱系４４のブローイングアウト用の過熱蒸気に混合する。そして、混合後の温度の下がった蒸気を低温再熱蒸気管２５に流入させる。このため、設計時に、低温再熱蒸気管２５の材質について、ブローイングアウト時の通過蒸気温度を考慮しなくても、ブローイングアウト用の蒸気が当該管の最高使用温度を超えて当該管を損傷する可能性が低減する。
【００５０】
また、第三の仮設配管３３により、高圧系４１を通過する蒸気流量が低減する。この高圧系４１の流体力が低下することで、動圧も低下し、高圧系４１内での異物の飛散量を抑えることができ、その高圧系４１から流入する過熱蒸気内の異物の飛散量も抑えることができる。従って、異物の飛散量の少ない蒸気で、再熱器２３のブローイングアウトを実施でき、ブローイングアウト時間を短縮できる。
【００５１】
このように、本実施形態によれば、排熱回収ボイラ２ａにおいて、主蒸気系統から供給される蒸気の一部を、過熱器をバイパスさせるための仮設配管を設けるという簡易な構成で、コストの上昇を抑え、効率よく再熱系４４のブローイングアウトを行うことができる。
【００５２】
なお、上記実施形態では、排熱回収ボイラ２ａは、高圧系４１、中圧系４２および低圧系４３の三重圧方式の場合を例にあげて説明したが、これに限定されない。例えば、中圧系４２のない、複(二重)圧方式であってもよい。また、主蒸気系統が多重圧方式でなくてもよい。主蒸気系統の、蒸気ドラムから過熱前の飽和蒸気を取り出し、過熱蒸気を再熱器２３に送り込む第一の仮設配管３１内の蒸気に混合できれば、排熱回収ボイラ２ａ自体の構成は問わない。
【００５３】
＜変形例＞
なお、例えば、排熱回収ボイラ２において、高圧過熱器が複数ある構成（以下、多段構成と呼ぶ）の場合、第三の仮設配管は、複数の高圧過熱器をバイパスするよう設けてもよい。例えば、高圧一次過熱器２１の入口側から、後次の過熱器のいずれかの入口側に接続し、過熱器をバイパスさせてもよい。例えば、高圧系４１が二段構成の排熱回収ボイラ２ｂの場合の例を、図３に示す。本図に示すように、第三の仮設配管３４は、高圧一次過熱器２１の入口側から分岐し、その出口側、すなわち、高圧二次過熱器２２の入口側に接続される。また、バイパスさせる飽和蒸気は一部もしくは全部となる。
【００５４】
なお、三次構成の場合、第三の仮設配管３４は、高圧一次過熱器２１の入口側から、高圧一次過熱器２１と高圧二次過熱器２２との中間、および、高圧二次過熱器２２と高圧三次過熱器との中間のいずれかに接続される。前者の場合、過熱前の蒸気は、高圧一次過熱器２１をバイパスし、後者の場合、高圧一次過熱器２１および高圧二次過熱器２２をバイパスする。また、四次構成の場合、一次過熱器と二次過熱器との中間、二次過熱器と三次過熱器との中間、および、三次過熱器と四次過熱器との中間のいずれかに接続される。バイパスさせる飽和蒸気は、三次構成の場合、四次構成の場合ともに一部もしくは全部となる。
【００５５】
また、同じく、高圧系４１が多段構成の場合、第三の仮設配管は、二次以降の後次の過熱器のいずれかの入口側から当該過熱器をバイパスして第一の仮設配管３１に接続してもよい。例えば、高圧系４１が二段構成の排熱回収ボイラ２ｃの場合の例を、図４に示す。本図に示すように、第三の仮設配管３５は、高圧一次過熱器２１の出口側、すなわち、高圧二次過熱器２２の入口側から分岐し、第一の仮設配管３１に接続される。また、バイパスさせる飽和蒸気は一部もしくは全部となる。
【００５６】
このように、第三の仮設配管は、ブローイングアウト時に、主蒸気系統の、過熱器に供給される前の蒸気の一部もしくは全部を、過熱器をバイパスして当該過熱器の出口より後流に流すよう接続されていればよく、これらの変形例は、排熱回収ボイラ２の構成に応じて、適宜選択される。
【００５７】
一般に、排熱回収ボイラ２の伝熱管パネルは、入口ヘッダと出口ヘッダとの間に伝熱管が配置されるよう設置される。水と蒸気を分離する高圧ドラム１９から最初の伝熱管パネルである高圧一次過熱器２１のヘッダへ接続される連絡管は、排熱回収ボイラ２毎に入口ヘッダおよび出口ヘッダのいずれかに接続される。すなわち、高圧ドラム１９から流出した蒸気が最初に接続された伝熱管パネル（高圧一次過熱器２１）の上から下向きに流れるように流路が形成されるケースもあれば、下から上向きに流れるよう流路が形成されるケースもある。各変形例は、このような排熱回収ボイラ２の構成に応じて、分岐する第三の仮設配管の長さが短く、かつ、配管がシンプルになるよう、適宜選択する。これにより、ブローイングアウト時の仮設配管の取り回しがシンプルになり、コスト的なメリットが期待できる。
【００５８】
また、上記実施形態、変形例では、ドラム型の排熱回収ボイラを例にあげて説明したが、排熱回収ボイラの型式は、これに限定されない。例えば、蒸気ドラムの代わりに、汽水分離器を用いる、貫流型であってもよい。また、伝熱管パネルが水平方向に配列した横型の排熱回収ボイラのほか、伝熱管パネルが上下方向に配列した竪型の排熱回収ボイラでも良い。発電設備の規模、蒸気系統の構成、給水ポンプ類の配置等も、特に上記実施形態、変形例に限定されず、本発明に係る技術的思想を逸脱しない範囲であれば、設計等に応じて種々の変更が可能である。
【符号の説明】
【００５９】
１：ガスタービン、２：排熱回収ボイラ、２ａ：排熱回収ボイラ、２ｂ：排熱回収ボイラ、２ｃ：排熱回収ボイラ、３：蒸気タービン、４：発電機、５：復水器、６：復水ポンプ、７：低圧給水ポンプ、８：低圧節炭器、９：低圧ドラム、１０：低圧蒸発器、１１：低圧過熱器、１２：高中圧給水ポンプ、１３：節炭器再循環ライン、１４：中圧節炭器、１５：中圧ドラム、１６：中圧蒸発器、１７：中圧過熱器、１８：高圧節炭器、１９：高圧ドラム、２０：高圧蒸発器、２１：高圧一次過熱器、２２：高圧二次過熱器、２３：再熱器、２４：主蒸気管、２５：低温再熱蒸気管、２６：高温再熱蒸気管、２７：復水ライン、２８：高中圧給水ライン、２９：節炭器再循環ポンプ、
３１：第一の仮設配管、３２：第二の仮設配管、３３：第三の仮設配管、３４：第三の仮設配管、３５：第三の仮設配管、３９：排気サイレンサ、
４１：高圧系、４２：中圧系、４３：低圧系、４４：再熱系、
１００：コンバインドサイクル発電設備
【図１】
2020029977.tif 000003
【図２】
2020029977.tif 000004
【図３】
2020029977.tif 000005
【図４】
2020029977.tif 000006
【図５】
2020029977.tif 000007